(57)【要約】    【課題】送出ローラの両端部にあるスプリングが必要以上に大きな圧力で押圧されるのを防止しつつ、編地に編み傷が発生することを防止し、編地の品位を高める。    【解決手段】ローラの隙間を編地の厚みに応じて調整できるようにした装置である。編地を挟み込むべく隣接した２本の前記送出ローラ（１１，１２；１２，１３）の間の押圧を調整する手段（１２ｄ，１３ｄ；１２ｅ，１３ｅ）と、必要以上に押圧を強くしても前記ローラ同士は圧縮されないようにする手段とを有する。後者の手段は、位置決めスクリュ（１２ｆ，１３ｆ）と、このスクリュの先端部が当接してそれ以上の進行が阻止される固定ブロック（１９）とからなる。    【選択図】図１
0003116682.tif 000002
【実用新案登録請求の範囲】
【請求項１】
丸編機の編成部から供給された編地を挟み込んで巻取ローラ（１０）側に送出するために少なくとも１本の駆動送出ローラ（１１）と少なくとも１本の従動送出ローラ（１２，１３）を備えた丸編機用巻取装置（１）において、
前記従動送出ローラ（１２，１３）を位置調節可能なように取り付けた揺動レバー（１２ｂ，１３ｂ）と、
編地を挟み込むべく隣接した２本の前記送出ローラ（１１，１２；１２，１３）の間の押圧力を調整する手段（１２ｄ，１３ｄ；１２ｅ，１３ｅ）と、
必要以上に押圧力を強くしても前記ローラ（１１，１２；１２，１３）同士は圧縮されないようにする手段（１２ｆ，１３ｆ；１９）とを設けて、
ローラの隙間を編地の厚みに応じて調整できるようにしたことを特徴とする丸編機用巻取装置。
【請求項２】
隣接する２本の前記送出ローラ（１１，１２；１２，１３）の間の押圧力を調整する手段が、前記揺動レバー（１２ｂ，１３ｂ）の揺動量を制限するスプリング（１２ｅ，１３ｅ）と、このスプリングを押圧する調整スクリュ（１２ｄ、１３ｄ）とからなる請求項１記載の装置。
【請求項３】
必要以上に押圧を強くしても前記ローラ（１１，１２；１２，１３）同士は圧縮されないようにする手段が、前記揺動レバー（１２ｂ、１３ｂ）の下端部に設定された位置決めスクリュ（１２ｆ，１３ｆ）と、この位置決めスクリュ（１２ｆ、１３ｆ）の先端部が当接してそれ以上の進行が阻止される固定ブロック（１９）とからなる請求項１又は２記載の装置。
【考案の詳細な説明】
【技術分野】
【０００１】
本考案は、丸編機の編成部で編成された編地を巻き取るために使用する丸編機用巻取装置に関する。
【背景技術】
【０００２】
一般に、丸編機の編成部によって編成された筒状の編地は、編成部の下側に配設された巻取装置によって巻き取られる。この巻取装置は、編成部から供給された編地を挟み込んで編み下げる２本または３本の送出ローラ（編み下げローラ）と、送出ローラによって下方に送り出された編地を偏平状に巻き取るための巻取ローラとを具備している。編成部で編成された編地は、編成部内のシリンダの回転に応じて回転しつつ巻取装置に供給される。従って、巻取装置によってねじりなく編地を巻き取るためには、巻取装置の送出ローラおよび巻取ローラをシリンダと同期して編地と同じ方向に回転（公転）させつつ、巻取ローラを軸回りに回転（自転）させなければならない。
【０００３】
さらに、丸編機の編成部で編成された編地を巻取装置で巻き取るにあたっては、送出ローラで挟み込まれて偏平状となった編地が送出ローラによって均一な圧力で押圧される必要がある。なぜなら、編地が送出ローラによって均一な圧力で押圧されていないと、編地を編み下げる張力が異なることで、編地の編目の形状が不均一になり、その部分は編傷となって残ってしまうからである。
【０００４】
そこで、下記の特許文献１では、本願添付の図３に示すように、駆動ローラ１３と２本の従動ローラ１４，１５から成っており、従動ローラはスプリング１６によって駆動ローラに圧着されている。そして、駆動ローラは編地両端部の巻取速度を中央部より速くするために、ローラ両端部の径を中央部の径より大きくした段付ローラを用い、それに対応した従動ローラの両端部の径を中央部より小さくしている。そして、段付ローラのため駆動ローラの中央部と両端部と表面速度が異なるので駆動ローラと従動ローラのスリップを防止するため、従動ローラは１７の点で断続している。さらに中央部よりも両端部の編地の方が巻取ローラによる接圧を大きく受けるために、ローラの中央部では各ローラ間には間隔をあけ両端部で密着保持させている。
【特許文献１】特開昭４８−２４０６７号公報
【考案の開示】
【考案が解決しようとする課題】
【０００５】
しかしながら、上述の技術には、以下のような問題がある。まず、丸編機で編成する編地は、使用する編み糸の素材、太さ、編成する編地の密度などにより、編成される編地の幅は一定ではなく絶えず変化している。そのために、上述のようなローラ両端部の径を中央部の径より大きくした段付ローラでは、変化する編地幅に対応出来ない。さらに、ローラの段付部分を編地が通過するとその個所に編み傷が発生することがある。
【０００６】
また、送出ローラの外周は、編地とローラとのスリップを防止するために、通常硬質ゴムで被覆されているが、送出ローラ間の圧力を調整するためのスプリング圧を必要以上に強くすると、スプリングが設置されている送出ローラの端部付近の硬質ゴムが圧縮されてへこみ、そのため送出ローラが湾曲することが解った。湾曲すると送出ローラの中央部ではローラ間が開き、編地を圧縮する力が少なくなり編地張力を強くできない。これは編機の口径が大きい、つまり巻取装置の送出ローラの幅が長い編機で顕著になるのはいうまでもない。
【０００７】
そこで、本考案の主な目的は、送出ローラの両端部にあるスプリングが必要以上に大きな圧力で押圧されるのを防止しつつ、編地に編み傷が発生することを防止し、編地の品位を高めることが可能な丸編機用巻取装置を提供することである。
【課題を解決するための手段】
【０００８】
上記目的を達成するために、本考案の丸編機用巻取装置は、丸編機の編成部から供給された編地を挟み込んで巻取ローラ側に送出するために少なくとも１本の駆動送出ローラと少なくとも１本の従動送出ローラを備えた丸編機用巻取装置において、前記従動送出ローラを位置調節可能なように取り付けた揺動レバーと、編地を挟み込むべく隣接した２本の前記送出ローラの間の押圧を調整する手段と、必要以上に押圧を強くしても前記ローラ同士は圧縮されないようにする手段とを設けて、ローラの隙間を編地の厚みに応じて調整できるようにしたことを特徴とする。
【考案の効果】
【０００９】
本考案の丸編機用巻取装置では、編地を挟み込むべく隣接した２本の前記送出ローラの間の押圧を調整するためのスプリングを必要以上に強くしてもローラ同士は圧縮されないようにする手段が設けられているので、ローラの隙間を編地の厚みに応じて調整でき、送出ローラの両端部にあるスプリングが必要以上に大きな圧力で押圧されるのを防止しつつ、編地に編み傷が発生することを防止し、編地の品位を高めることが可能になる。
【考案を実施するための最良の形態】
【００１０】
隣接する２本の前記送出ローラの間の押圧力を調整する手段は、例えば、前記揺動レバーの揺動量を制限するスプリングと、このスプリングを押圧する調整スクリュとからなるものとすることができる。
【００１１】
必要以上に押圧力を強くしても前記ローラ同士は圧縮されないようにする手段は、例えば、前記揺動レバーの下端部に設定された位置決めスクリュと、このスクリュの先端部が当接してそれ以上の進行が阻止される固定ブロックとからなるものとすることができる。
【実施例１】
【００１２】
以下、本考案の好適な一実施例について、図面を参照しつつ説明する。
【００１３】
図４は、本考案の一実施例に係る丸編機用巻取装置の正面図である。図４に示すように、本実施例の丸編機用巻取装置１においては、上方に丸編機の編成部（図示せず）を設置するためのベッド３が、ほぼ鉛直に延在した３本のレッグ（図１中にはその内の２本のレッグ２ａ、２ｂだけが描かれており、もう１本のレッグは後ろに隠れている）によってその頂部に支持されている。
【００１４】
ベッド３内には、編成部のシリンダ（図示せず）と共にベッド３の中心を通過する鉛直軸の回りを回転可能なギアリング４が収容されている。ギアリング４は、その底面に取り付けられた２本の連結棒５ａ、５ｂを介して、ベッド３の下方に配置された回転部６のフレーム６ａと接続されている。また、３本のレッグ２ａ、２ｂは、その下端において三つ又形状のクロスメンバー８によって連結されている。クロスメンバー８の中央部上には、ベアリングボックス９が配置されている。ベアリングボックス９内部のベアリング（図示せず）は、回転部６の底部部材６ｃを回転可能に支持している。これにより、回転部６は、編成部のシリンダと同期して、ベッド３の中心を通過する鉛直軸の回りを回転することが可能となっている。
【００１５】
回転部６のフレーム６ａの上端付近には、ほぼ同じ高さに隣接して配置された３本の送出ローラ（１本が駆動送出ローラ１１で、２本が従動送出ローラ１２、１３）が各軸回りに回動可能に取り付けられている。駆動送出ローラ１１は、フレーム６ａ内部に配置された駆動源によって駆動されることによって、軸回りに回転可能となっている。
【００１６】
また、フレーム６ａの中央付近には、水平に配置された巻取ローラ１０がその軸回りに回動可能に取り付けられている。巻取ローラ１０は、編成された編地をロール状に巻き取るために、軸回りに回転可能となっている。
【００１７】
このように構成された本実施例の丸編機用巻取装置１では、編成部から供給された編地３０が幅出し装置（図示せず）を介して送出ローラ１１〜１３に与えられる。編地３０は、送出ローラ１１および１２間、そして、送出ローラ１１および１３間で編み下げられた後に、送出ローラ１１〜１３の下方に配置されて軸回りに回転している巻取ローラ１０によって巻き取られる。この際、回転部６が鉛直軸回りにシリンダと同期回転しているために、所要長さの編地３０がねじれなく巻取ローラ１０の回りに巻き取られる。なお、巻取ローラ１０の回転速度は、十分な巻き取り力を得るために、送出ローラ１１〜１３の回転速度よりもやや大きく設定することが好ましい。
【００１８】
次に、本実施例の丸編機用巻取装置１における送出ローラ１１〜１３の、より詳細な構造について図１、図２を参照してさらに説明する。図１は、図４に示した丸編機用巻取装置の回転部に支持された３本の送出ローラ端部付近の（ａ）平面図および（ｂ）側面図である。図２は、操作レバー２１を矢印方向に動かして、図１に示した送出ローラ端部のスパーギアが噛合しない位置になるように、従動送出ローラを移動した時の側面図である。
【００１９】
図１に示すように、駆動送出ローラ１１の両脇に隣接する位置には、従動送出ローラ１２、１３がそれぞれ配置されている。３本の送出ローラ１１、１２、１３には、その一端側にそれぞれスパーギア１１ａ、１２ａ、１３ａが取り付けられている。スパーギア１１ａは２つのスパーギア１２ａ、１３ａとそれぞれ噛合している。そのため、駆動送出ローラ１１が回転するのに伴って、従動送出ローラ１２、１３もそれぞれ駆動送出ローラ１１とは逆回りに回転することが可能である。駆動送出ローラ１１はフレーム６ａ、６ｂにベアリング１１ｃを介して取り付けられている。
【００２０】
一方のフレーム６ａの上部内側では、２つの揺動レバー１２ｂ、１３ｂがその上端軸１２ｈ，１３ｈを中心にして揺動可能に支持されている。２つの揺動レバー１２ｂ、１３ｂの中央部にはそれぞれ従動送出ローラ１２、１３の一端がベアリング１２ｃ、１３ｃを介して軸支されている。前記の軸支部の下側には、駆動送出ローラ１１と従動送出ローラ１２、１３との間が調整可能に押圧されるように調整スクリュ１２ｄ、１３ｄが配置されている。調整スクリュ１２ｄ、１３ｄの先端には、螺合ブロック（図示せず）がねじ込まれ、ブロックはスプリング１２ｅ、１３ｅの一端が固定され、スプリング１２ｅ、１３ｅの他端は、フレーム６ａの突起２２に固定されている。
【００２１】
調整スクリュ１２ｄ、１３ｄをねじ込めば、螺合ブロックと共にスプリング１２ｅ、１３ｅの一端が外側に向かって移動し、スプリング１２ｅ、１３ｅが伸ばされ、駆動送出ローラ１１と従動送出ローラ１２、１３との間の圧力が増す。
【００２２】
揺動レバー１２ｂ、１３ｂの下端部には、駆動送出ローラ１１と従動送出ローラ１２、１３との間の圧力が必要以上に大きくなり、送出ローラの外周に被覆された硬質ゴムが変形しないように、言い換えれば駆動送出ローラ１１と従動送出ローラ１２、１３との間の距離が一定以上短くならないように位置決めスクリュ１２ｆ、１３ｆを取り付けられている。位置決めスクリュ１２ｆ、１３ｆの先端部はブロック１９に当接して、それ以上の進行が妨げられる。なお、位置決めスクリュ１２ｆ、１３ｆは、ナット１２ｇ、１３ｇにより、揺動レバー１２ｂ、１３ｂの下端部の貫通孔に設定されており、ブロック１９は、フレーム６ａに固着されている。位置決めスクリュのねじ込み量を調節することにより、駆動送出ローラ１１と従動送出ローラ１２、１３との間の最短距離を調節することができる。
【００２３】
揺動レバー１２ｂ、１３ｂの間には、半円上の板カム２０が回転可能に配置され、板カム２０の外周部は揺動レバー１２ｂ、１３ｂの内面に当接している。板カム２０に取り付けられた操作レバー２１を９０°円弧移動することで、２つの揺動レバー１２ｂ、１３ｂが開き、図１のような噛合状態にある前記スパーギア１１ａと２つのスパーギア１２ａ、１３ａが図２のような非噛合状態に移動する。この状態では駆動送出ローラ１１と従動送出ローラ１２、１３との間が開き、編地をローラ間に通したり、ローラ間にある編地を取り除いたりすることが出来る。
【００２４】
前記のフレーム６ａに対向したもう一方のフレーム６ｂには上述の部材が左右対称に配置されている。
【図面の簡単な説明】
【００２５】
【図１】本考案の一実施の形態に係る丸編機用巻取装置の平面図(a)と側面図(b)である。
【図２】図１に示した丸編機用巻取装置のレバーを円弧移動した時の側面図である。
【図３】従来の巻取装置における送出ローラの平面図と側面図である
【図４】本考案の一実施の形態に係る丸編機用巻取装置の正面図である。
【符号の説明】
【００２６】
１  巻取装置
２ａ、２ｂ  レッグ
３  ベッド
４  ギアリング
５ａ、５ｂ  連結棒
６  回転部
６ａ、６ｂ  フレーム
６ｃ  底部部材
８  クロスメンバー
９  ベアリングボックス
１０  巻取ローラ
１１  駆動送出ローラ
１２  従動送出ローラ
１３  従動送出ローラ
１１ａ、１２ａ、１３ａ  スパーギア
１２ｂ、１３ｂ  揺動レバー
１１ｃ、１２ｃ、１３ｃ  ベアリング
１２ｄ、１３ｄ  調整スクリュ
１２ｅ、１３ｅ  スプリング
１２ｆ、１３ｆ  位置決めスクリュ
１２ｇ、１３ｇ  ナット
１９  ブロック
２０  板カム
２１  操作レバー
３０  編地
【図１】
0003116682.tif 000003
【図２】
0003116682.tif 000004
【図３】
0003116682.tif 000005
【図４】
0003116682.tif 000006